(57)【要約】【課題】  洗顔パッドを使用する際に洗顔剤を十分に泡立てることが可能な洗顔用具を提供すること。【解決手段】  この発明の洗顔用具は、薄板状の本体１の片面２に多数の突起３から構成されるブラシ部４を有し、前記ブラシ部４を設けた面２を顔面に沿ってしならせることができるように柔軟性を有するものとした洗顔パッド５を、含ませた洗顔料を泡立てられるようにした泡立て具６の外面の一部に接合して装着したものとしており、洗顔パッドを使用する際に、泡立て具により洗顔剤を十分に泡立てることが可能となっている。【選択図】  図１
2006006597.tif 000002
【特許請求の範囲】
【請求項１】
薄板状の本体（１）の片面（２）に多数の突起（３）から構成されるブラシ部（４）を有し、前記ブラシ部（４）を設けた面（２）を顔面に沿ってしならせることができるように柔軟性を有するものとした洗顔パッド（５）を、含ませた洗顔料を泡立てられるようにした泡立て具（６）の外面の一部に接合して装着したことを特徴とする洗顔用具。
【請求項２】
洗顔パッド（５）が泡立て具（６）に着脱自在である請求項１記載の洗願用具。
【請求項３】
洗顔パッド（５）の本体（１）のブラシ部（４）を設けた面（２）の反対側の面（８）に設けた突出部（９）を、泡立て具（６）に設けた取付穴（１２）に挿入することにより、洗顔パッド（５）を泡立て具（６）に装着している請求項１又は２記載の洗願用具。
【請求項４】
突出部（９）の先端に抜け止め用の鍔（１３）を外周に張り出した形状として設けた請求項３記載の洗願用具。
【発明の詳細な説明】
【技術分野】
【０００１】
この発明は、化粧落とし等の洗顔の際に使用される洗願用具に関するものである。
【背景技術】
【０００２】
本件出願人は、特許文献１に記載のような、薄板状の本体１の片面２に多数の突起３から構成されるブラシ部４を有し、前記ブラシ部４を設けた面２を顔面に沿ってしならせることができるように柔軟性を有するものとした洗顔パッド（クレンジングパッド）を出願した。
【０００３】
この洗顔パッドは、顔面の凹凸によくフィットし、洗顔料とともに使用することにより、毛穴の汚れや角栓までスムーズに落とすことが可能である。
【０００４】
しかし、より顔面の汚れ等をよく落とすためには、洗顔剤を泡立てて使用することが望ましいが、洗顔パッドだけでは洗顔剤を十分に泡立てた状態にすることが困難であった。
【特許文献１】第３０９９２７０号登録実用新案公報
【発明の開示】
【発明が解決しようとする課題】
【０００５】
そこで、この発明は、洗顔パッドを使用する際に洗顔剤を十分に泡立てることが可能な洗願用具を提供することを課題とする。
【課題を解決するための手段】
【０００６】
前記課題を解決するため、この発明は次のような技術的手段を講じている。
【０００７】
この発明の洗願用具は、薄板状の本体１の片面２に多数の突起３から構成されるブラシ部４を有し、前記ブラシ部４を設けた面２を顔面に沿ってしならせることができるように柔軟性を有するものとした洗顔パッド５を、含ませた洗顔料を泡立てられるようにした泡立て具６の外面の一部に接合して装着したものとしている。
【０００８】
洗顔パッド５は、泡立て具６に着脱自在とすることができる。
【０００９】
洗顔パッド５の本体１のブラシ部４を設けた面２の反対側の面８に設けた突出部９を、泡立て具６に設けた取付穴１２に挿入することにより、洗顔パッド５を泡立て具６に装着したものとすることができる。
【００１０】
また、突出部９の先端に抜け止め用の鍔１３を外周に張り出した形状として設けたものとすることができる。
【発明の効果】
【００１１】
この発明の洗顔パッド５は、上述のような構成を有しており、洗顔パッドを使用する際に、泡立て具により洗顔剤を十分に泡立てることが可能となっている。
【発明を実施するための最良の形態】
【００１２】
この発明の洗願用具は、薄板状の本体１の片面２に多数の突起３から構成されるブラシ部４を有し、前記ブラシ部４を設けた面２を顔面に沿ってしならせることができるように柔軟性を有するものとした洗顔パッド５を、含ませた洗顔料を泡立てられるようにした泡立て具６の外面の一部に接合したものである。
【００１３】
以下、この発明の実施の好適な形態を、図面を参照して説明する。
【００１４】
図１はこの発明の実施形態の洗願用具の斜視図、図２はその下方から見た場合の斜視図、図３は洗顔パッドの上面図、図４は洗顔パッドの裏側から見た場合の斜視図、図５は洗顔パッドの右側面図、図６は泡立て具の斜視図である。
【００１５】
洗顔パッド５は、全体を、シリコン樹脂（シリコンゴム）、ポリエチレン、ポリプロピレン、スチレンゴム、ニトリルゴム、アクリルゴム、エチレン酢酸ビニルゴム等の、軟質な合成樹脂で一体に形成したものとすることができる。また、前記合成樹脂に銀や酸化銀の粉末を配合し、にきびの原因となるアクネ菌等に対する抗菌機能や制菌機能を有するものとすることもできる。
【００１６】
この実施形態では、洗顔パッド５は、硬度が３０度程度のシリコン樹脂で全体を一体に形成したものとしている。本体１は、厚さ２〜３ｍｍ程度の扁平な略楕円形状で、長径６４ｍｍ程度、短径５０ｍｍ程度としている。
【００１７】
図２に示したように、ブラシ部４は、本体１の片面２の半分以上の領域に及ぶ。ブラシ部４を構成する突起３は、長さ２〜３ｍｍ程度、根元の直径が０．８ｍｍ程度で先端に向かってやや小径となるものとしている。突起３は、縦横に配列され、先端部が隣り合う突起３の先端部と１ｍｍ程度の間隔を有するように設けられている。
【００１８】
さらに、ブラシ部４を設けた面２には、ブラシ部４の下方に、多数の断面略半円形状の凸部からなるマッサージ部７を設けている。
【００１９】
本体１のブラシ部４を設けた面２の反対側の面８には、使用者が２本の指で挟んで保持することができる突出部９を設けている。突出部９は、面８に対して垂直に突出するように形成され、根元部分と上端部分が拡径した形状となっている。使用者は、根元部分と上端部分の間に、人差し指と中指で突出部９を挟むことにより、この洗顔パッド５を保持することができる。
【００２０】
また、突出部９の外端には、吸盤１０が形成されている。この吸盤１０により、洗顔パッド５を使用していない間は、鏡や壁面その他適宜に吸着させておくことができる。
【００２１】
泡立て具６はスポンジ製で、連続気泡を有するものとしている。この泡立て具６は、水や湯で濡らして洗顔剤を含ませた状態にし、そして手で揉むことにより、きめ細かい泡ができるようになっている。
【００２２】
泡立て具６の素材は発泡ウレタンとすることができる。泡立て具６は、横断面が洗顔パッド５の本体１の外形よりやや大きく、厚みが数ｃｍで、使用者が手のひらに載せて保持できる程度の大きさとしている。
【００２３】
泡立て具６の上面は、周縁部を残して凹部１１を形成しており、この凹部１１に洗顔パッド５が嵌るようにしている。また、泡立て具６の略中央部には取付穴１２が設けられており、この取付穴１２に洗顔パッド５の前記突出部９を挿入することにより、洗顔パッド５を泡立て具６に装着している。洗顔パッド５は、泡立て具６に着脱自在である。取付穴１２は突出部９の横断面に対応する形状で、泡立て具６を上下方向に貫通している。
【００２４】
図２に示したように、洗顔パッド５を泡立て具６に装着した場合に、突出部９が泡立て具６の下面から露出するようにするとよい。そして、突出部９の先端に抜け止め用の鍔１３を外周に張り出した形状として設けたものとすれば、洗顔パッド５が勝手に泡立て具６から抜けることが防止される。
【００２５】
なお、泡立て具６は、みかん等を入れる袋状のネットの中に多数のスポンジ片を入れたものとする等、前述の構成に限定されない。
【００２６】
この洗顔用具を使用して洗顔を行うには、まず泡立て具６を水や湯で濡らし、泡立て具６に洗顔剤をのせて、手のひらで軽く揉んで泡立てる。そして、洗顔剤の泡を洗顔パッド５のブラシ部４にのせる。この実施形態では、洗顔パッド５に泡立てられた洗顔剤が通る孔１４が複数箇所に設けられており、泡立て具６を揉むと、前記孔１４から洗顔パッド５のブラシ部４側に泡が出てくるようになっている。
【００２７】
なお、洗顔パッド５は、泡立て具６から取り外して、ブラシ部４を設けた面２の反対側の面８の手入れを行うことができ、また、細かい部分等、必要に応じて洗顔パッド５のみを使用して洗顔を行うこともできる。洗顔パッド５は、全体がシリコン樹脂でできているため、柔軟でしなりやすく、顔面の凹凸によくフィットさせることができる。また、多数の柔軟な突起３からなるブラシ部４により、毛穴の汚れ、角栓までスムーズかつ迅速に落とすことができる。特に、オイルタイプのクレンジング剤を使用した場合でも、滑りにくく、しっかりと汚れ等を落とすことができる。また、マッサージ部７を利用して、額などの面をマッサージすることも可能である。
【図面の簡単な説明】
【００２８】
【図１】この発明の実施形態の洗願用具の斜視図である。
【図２】この発明の実施形態の洗願用具の下方から見た場合の斜視図である。
【図３】洗顔パッドの上面図である。
【図４】洗顔パッドの裏側から見た場合の斜視図である。
【図５】洗顔パッドの右側面図である。
【図６】泡立て具の斜視図である。
【符号の説明】
【００２９】
１  本体
２  ブラシ部を設けた面
３  突起
４  ブラシ部
５  洗顔パッド
６  泡立て具
８  反対側の面
９  突出部
１２  取付穴
１３  鍔
【図１】
2006006597.tif 000003
【図２】
2006006597.tif 000004
【図３】
2006006597.tif 000005
【図４】
2006006597.tif 000006
【図５】
2006006597.tif 000007
【図６】
2006006597.tif 000008
【手続補正書】
【提出日】平成16年6月29日(2004.6.29)
【手続補正１】
【補正対象書類名】特許請求の範囲
【補正対象項目名】全文
【補正方法】変更
【補正の内容】
【特許請求の範囲】
【請求項１】
薄板状の本体（１）の片面（２）に多数の突起（３）から構成されるブラシ部（４）を有し、前記ブラシ部（４）を設けた面（２）を顔面に沿ってしならせることができるように柔軟性を有するものとした洗顔パッド（５）を、含ませた洗顔料を泡立てられるようにした泡立て具（６）の外面の一部に接合して装着したことを特徴とする洗顔用具。
【請求項２】
洗顔パッド（５）が泡立て具（６）に着脱自在である請求項１記載の洗顔用具。
【請求項３】
洗顔パッド（５）の本体（１）のブラシ部（４）を設けた面（２）の反対側の面（８）に設けた突出部（９）を、泡立て具（６）に設けた取付穴（１２）に挿入することにより、洗顔パッド（５）を泡立て具（６）に装着している請求項１又は２記載の洗顔用具。
【請求項４】
突出部（９）の先端に抜け止め用の鍔（１３）を外周に張り出した形状として設けた請求項３記載の洗顔用具。
【手続補正２】
【補正対象書類名】明細書
【補正対象項目名】全文
【補正方法】変更
【補正の内容】
【発明の詳細な説明】
【技術分野】
【０００１】
この発明は、化粧落とし等の洗顔の際に使用される洗顔用具に関するものである。
【背景技術】
【０００２】
本件出願人は、特許文献１に記載のような、薄板状の本体１の片面２に多数の突起３から構成されるブラシ部４を有し、前記ブラシ部４を設けた面２を顔面に沿ってしならせることができるように柔軟性を有するものとした洗顔パッド（クレンジングパッド）を出願した。
【０００３】
この洗顔パッドは、顔面の凹凸によくフィットし、洗顔料とともに使用することにより、毛穴の汚れや角栓までスムーズに落とすことが可能である。
【０００４】
しかし、より顔面の汚れ等をよく落とすためには、洗顔剤を泡立てて使用することが望ましいが、洗顔パッドだけでは洗顔剤を十分に泡立てた状態にすることが困難であった。
【特許文献１】第３０９９２７０号登録実用新案公報
【発明の開示】
【発明が解決しようとする課題】
【０００５】
そこで、この発明は、洗顔パッドを使用する際に洗顔剤を十分に泡立てることが可能な洗顔用具を提供することを課題とする。
【課題を解決するための手段】
【０００６】
前記課題を解決するため、この発明は次のような技術的手段を講じている。
【０００７】
この発明の洗顔用具は、薄板状の本体１の片面２に多数の突起３から構成されるブラシ部４を有し、前記ブラシ部４を設けた面２を顔面に沿ってしならせることができるように柔軟性を有するものとした洗顔パッド５を、含ませた洗顔料を泡立てられるようにした泡立て具６の外面の一部に接合して装着したものとしている。
【０００８】
洗顔パッド５は、泡立て具６に着脱自在とすることができる。
【０００９】
洗顔パッド５の本体１のブラシ部４を設けた面２の反対側の面８に設けた突出部９を、泡立て具６に設けた取付穴１２に挿入することにより、洗顔パッド５を泡立て具６に装着したものとすることができる。
【００１０】
また、突出部９の先端に抜け止め用の鍔１３を外周に張り出した形状として設けたものとすることができる。
【発明の効果】
【００１１】
この発明の洗顔パッド５は、上述のような構成を有しており、洗顔パッドを使用する際に、泡立て具により洗顔剤を十分に泡立てることが可能となっている。
【発明を実施するための最良の形態】
【００１２】
この発明の洗顔用具は、薄板状の本体１の片面２に多数の突起３から構成されるブラシ部４を有し、前記ブラシ部４を設けた面２を顔面に沿ってしならせることができるように柔軟性を有するものとした洗顔パッド５を、含ませた洗顔料を泡立てられるようにした泡立て具６の外面の一部に接合したものである。
【００１３】
以下、この発明の実施の好適な形態を、図面を参照して説明する。
【００１４】
図１はこの発明の実施形態の洗顔用具の斜視図、図２はその下方から見た場合の斜視図、図３は洗顔パッドの上面図、図４は洗顔パッドの裏側から見た場合の斜視図、図５は洗顔パッドの右側面図、図６は泡立て具の斜視図である。
【００１５】
洗顔パッド５は、全体を、シリコン樹脂（シリコンゴム）、ポリエチレン、ポリプロピレン、スチレンゴム、ニトリルゴム、アクリルゴム、エチレン酢酸ビニルゴム等の、軟質な合成樹脂で一体に形成したものとすることができる。また、前記合成樹脂に銀や酸化銀の粉末を配合し、にきびの原因となるアクネ菌等に対する抗菌機能や制菌機能を有するものとすることもできる。
【００１６】
この実施形態では、洗顔パッド５は、硬度が３０度程度のシリコン樹脂で全体を一体に形成したものとしている。本体１は、厚さ２〜３ｍｍ程度の扁平な略楕円形状で、長径６４ｍｍ程度、短径５０ｍｍ程度としている。
【００１７】
図２に示したように、ブラシ部４は、本体１の片面２の半分以上の領域に及ぶ。ブラシ部４を構成する突起３は、長さ２〜３ｍｍ程度、根元の直径が０．８ｍｍ程度で先端に向かってやや小径となるものとしている。突起３は、縦横に配列され、先端部が隣り合う突起３の先端部と１ｍｍ程度の間隔を有するように設けられている。
【００１８】
さらに、ブラシ部４を設けた面２には、ブラシ部４の下方に、多数の断面略半円形状の凸部からなるマッサージ部７を設けている。
【００１９】
本体１のブラシ部４を設けた面２の反対側の面８には、使用者が２本の指で挟んで保持することができる突出部９を設けている。突出部９は、面８に対して垂直に突出するように形成され、根元部分と上端部分が拡径した形状となっている。使用者は、根元部分と上端部分の間に、人差し指と中指で突出部９を挟むことにより、この洗顔パッド５を保持することができる。
【００２０】
また、突出部９の外端には、吸盤１０が形成されている。この吸盤１０により、洗顔パッド５を使用していない間は、鏡や壁面その他適宜に吸着させておくことができる。
【００２１】
泡立て具６はスポンジ製で、連続気泡を有するものとしている。この泡立て具６は、水や湯で濡らして洗顔剤を含ませた状態にし、そして手で揉むことにより、きめ細かい泡ができるようになっている。
【００２２】
泡立て具６の素材は発泡ウレタンとすることができる。泡立て具６は、横断面が洗顔パッド５の本体１の外形よりやや大きく、厚みが数ｃｍで、使用者が手のひらに載せて保持できる程度の大きさとしている。
【００２３】
泡立て具６の上面は、周縁部を残して凹部１１を形成しており、この凹部１１に洗顔パッド５が嵌るようにしている。また、泡立て具６の略中央部には取付穴１２が設けられており、この取付穴１２に洗顔パッド５の前記突出部９を挿入することにより、洗顔パッド５を泡立て具６に装着している。洗顔パッド５は、泡立て具６に着脱自在である。取付穴１２は突出部９の横断面に対応する形状で、泡立て具６を上下方向に貫通している。
【００２４】
図２に示したように、洗顔パッド５を泡立て具６に装着した場合に、突出部９が泡立て具６の下面から露出するようにするとよい。そして、突出部９の先端に抜け止め用の鍔１３を外周に張り出した形状として設けたものとすれば、洗顔パッド５が勝手に泡立て具６から抜けることが防止される。
【００２５】
なお、泡立て具６は、みかん等を入れる袋状のネットの中に多数のスポンジ片を入れたものとする等、前述の構成に限定されない。
【００２６】
この洗顔用具を使用して洗顔を行うには、まず泡立て具６を水や湯で濡らし、泡立て具６に洗顔剤をのせて、手のひらで軽く揉んで泡立てる。そして、洗顔剤の泡を洗顔パッド５のブラシ部４にのせる。この実施形態では、洗顔パッド５に泡立てられた洗顔剤が通る孔１４が複数箇所に設けられており、泡立て具６を揉むと、前記孔１４から洗顔パッド５のブラシ部４側に泡が出てくるようになっている。
【００２７】
なお、洗顔パッド５は、泡立て具６から取り外して、ブラシ部４を設けた面２の反対側の面８の手入れを行うことができ、また、細かい部分等、必要に応じて洗顔パッド５のみを使用して洗顔を行うこともできる。洗顔パッド５は、全体がシリコン樹脂でできているため、柔軟でしなりやすく、顔面の凹凸によくフィットさせることができる。また、多数の柔軟な突起３からなるブラシ部４により、毛穴の汚れ、角栓までスムーズかつ迅速に落とすことができる。特に、オイルタイプのクレンジング剤を使用した場合でも、滑りにくく、しっかりと汚れ等を落とすことができる。また、マッサージ部７を利用して、額などの面をマッサージすることも可能である。
【図面の簡単な説明】
【００２８】
【図１】この発明の実施形態の洗顔用具の斜視図である。
【図２】この発明の実施形態の洗顔用具の下方から見た場合の斜視図である。
【図３】洗顔パッドの上面図である。
【図４】洗顔パッドの裏側から見た場合の斜視図である。
【図５】洗顔パッドの右側面図である。
【図６】泡立て具の斜視図である。
【符号の説明】
【００２９】
１  本体
２  ブラシ部を設けた面
３  突起
４  ブラシ部
５  洗顔パッド
６  泡立て具
８  反対側の面
９  突出部
１２  取付穴
１３  鍔